(57)【要約】【課題】内容物が漏洩することなく内部に確実に収容し、簡単な工程で作製できる流動体等を収容する容器及びそのシール部材を提供する。【解決手段】流動体等を収容する容器１Ａは、容器本体２と、この容器本体２の頂部に貼り付けられる蓋部材３とを備えている。容器本体２の底部４には、抽出口５Ａが設けられており、容器１内に収容された流動体又は半流動体等の内容物１ａは、容器１Ａを外部から加圧することにより開口して抽出される。容器１Ａにおいて、容器本体２は、種々のプラスチック等から成形することができ、アイスクリームやミルクなど、半流動体又は流動体の食品等を内部に収容することができる。また、内部に流動体又は半流動体を収容する容器に設けられるシール部材は、加圧により開口する抽出口が形成されている。【選択図】　図１
2004001841.tif 000002
【特許請求の範囲】
【請求項１】
内部に流動体又は半流動体を収容する容器であって、
前記容器は、前記容器を加圧することにより開口し前記流動体又は半流動体を抽出する抽出口を有することを特徴とする流動体等を収容する容器。
【請求項２】
内部に流動体又は半流動体を収容すると共に、容器本体及びこの容器本体の内面に配置された内側容器とを備える二重構造の容器であって、
前記容器は、前記容器本体及び前記内側容器の一方に開口部を有し、この開口部に隣接して前記容器本体及び前記内側容器の他方に、前記容器を加圧することにより開口し前記流動体又は半流動体を抽出する抽出口を有することを特徴とする流動体等を収容する二重構造の容器。
【請求項３】
内部に流動体又は半流動体を収容する容器であって、
前記容器は、前記容器を加圧することにより開口し前記流動体又は半流動体を抽出する抽出口が形成されたシール部材を備えていることを特徴とする流動体等を収容する容器。
【請求項４】
前記抽出口は、少なくとも１つの切り欠きであることを特徴とする請求項１〜３のいずれか１項に記載の流動体等を収容する容器。
【請求項５】
前記抽出口は、少なくとも１つのスリットと、このスリットを封止する封止部材とを備えることを特徴とする請求項１〜３のいずれか１項に記載の流動体等を収容する容器。
【請求項６】
内部に流動体又は半流動体を収容する容器に設けられるシール部材であって、
前記シール部材は、加圧により開口する抽出口が形成されていることを特徴とするシール部材。
【請求項７】
前記抽出口は、少なくとも１つの切り欠きであることを特徴とする請求項６に記載のシール部材。
【請求項８】
前記抽出口は、少なくとも１つのスリットと、このスリットを封止する封止部材とを備えることを特徴とする請求項６に記載のシール部材。
【発明の詳細な説明】
【０００１】
【発明の属する技術分野】
本発明は、流動体等を収容する容器及びそのシール部材、特に、内容物が漏洩することなく内部に確実に収容し、簡単な工程で作製できる流動体等を収容する容器及びそのシール部材に関するものである。
【０００２】
【従来の技術】
食品加工においては、練り製食品やソフトクリームなど流動性を有する流動体や半流動体を扱う工程が多く、食品加工機においても、流動体や半流動体を対象としたものが多い。これらの食品加工機やその他の一般的な流動体加工機において、流動体等は所定の容器などに入れられて運搬され、ホッパ等の受け容器に移された後、押し出し装置により所定量押し出され、所定の加工機に導入され或いは完成品として容器などに納められる工程が採用されている。
【０００３】
従来の押し出し装置等に使用される押し出し容器では、容器の底面に開口部を設け、この開口部を塞ぐためにシートを貼り付け、押し出し圧力により容器の内容物を抽出していた。
【０００４】
【発明が解決しようとする課題】
しかしながら、上述のような従来の押し出し容器では、シートの接着剤と容器内に収容されたソフトクリーム等の食品とが直接接触し、接着剤の溶剤が食品に溶出する場合があり、人体に有害であり、かつ非衛生的であるという問題点があった。また、シートの貼り付けでは、貼り付けが不十分な場合、貼り付け部分から内容物が漏洩するという問題点もあった。
【０００５】
本発明はこのような従来の問題点を解決するためになされたもので、内容物が漏洩することなく内部に確実に収容し、簡単な工程で作製できる流動体等を収容する容器及びそのシール部材を提供することを目的とする。
【０００６】
【課題を解決するための手段】
本発明の請求項１に係る発明は、内部に流動体又は半流動体を収容する容器であって、前記容器は、前記容器を加圧することにより開口し前記流動体又は半流動体を抽出する抽出口を有することを特徴とする流動体等を収容する容器である。
【０００７】
請求項２に係る発明は、内部に流動体又は半流動体を収容すると共に、容器本体及びこの容器本体の内側に配置された内側容器とを備える二重構造の容器であって、前記容器は、前記容器本体及び前記内側容器の一方に開口部を有し、この開口部に隣接して前記容器本体及び前記内側容器の他方に、前記容器を加圧することにより開口し前記流動体又は半流動体を抽出する抽出口を有することを特徴とする流動体等を収容する二重構造の容器である。
【０００８】
請求項３に係る発明は、内部に流動体又は半流動体を収容する容器であって、
前記容器は、前記容器を加圧することにより開口し前記流動体又は半流動体を抽出する抽出口が形成されたシール部材を備えていることを特徴とする流動体等を収容する容器である。
【０００９】
請求項４に係る発明は、前記抽出口が、少なくとも１つの切り欠きであることを特徴とする。
【００１０】
請求項５に係る発明は、前記抽出口が、少なくとも１つのスリットと、このスリットを封止する封止部材とを備えることを特徴とする。
【００１１】
請求項６に係る発明は、内部に流動体又は半流動体を収容する容器に設けられるシール部材であって、前記シール部材は、加圧により開口する抽出口が形成されていることを特徴とするシール部材である。
【００１２】
請求項７に係る発明は、前記抽出口は、少なくとも１つの切り欠きであることを特徴とする。
【００１３】
請求項８に係る発明は、前記抽出口は、少なくとも１つのスリットと、このスリットを封止する封止部材とを備える。
【００１４】
請求項１の発明によれば、容器がこの容器を加圧することにより開口し流動体又は半流動体を抽出する抽出口を有するので、容器を単に加圧するだけで、容易に内容物を抽出することができる。また、切り欠きにより抽出口を形成しているので、内容物の漏洩が防止できる。
【００１５】
請求項２の発明によれば、二重容器に開口部と抽出口とを設けているので、容器を単に加圧するだけで、容易に内容物を抽出することができる。また、切り欠きにより抽出口を形成しているので、内容物の漏洩が防止できる。
【００１６】
請求項３の発明によれば、容器を加圧することにより開口し流動体又は半流動体を抽出する抽出口が形成されたシール部材を容器が備えているので、既存の容器を利用して、容器を単に加圧するだけで、容易に内容物を抽出することができる。
【００１７】
請求項４及び７の発明によれば、抽出口が少なくとも１つの切り欠きであるので、抽出口の作製が容易であり、内容物を確実に収容することができる。
【００１８】
請求項５及び８の発明によれば、抽出口が少なくとも１つのスリットと、このスリットを封止する封止部材とを備えるので、流動体等を収容する容器が既存の容器から容易に作成できる。
【００１９】
請求項６の発明によれば、加圧により開口する抽出口が形成されているシール部材が内部に流動体又は半流動体を収容する容器に設けられるので、流動体等を収容する容器が既存の容器から容易に作成できる。
【００２０】
【発明の実施の形態】
実施形態１
図１（ａ）は、本発明の実施形態１による流動体等を収容する容器の概略側面図であり、図１（ｂ）はその裏面図である。これらの図において、流動体等を収容する容器１Ａは、容器本体２と、この容器本体２の頂部に貼り付けられる蓋部材３とを備えている。容器本体２の底部４には、抽出口５Ａが設けられており、容器１内に収容された流動体又は半流動体等の内容物１ａは、容器１Ａを外部から加圧することにより開口して抽出される。
【００２１】
図２は、図１（ｂ）のＡ−Ａ線に沿った概略断面図であり、容器本体２の底部４に設けられた抽出口５Ａを示している。この抽出口５Ａは、底部４の内側に８本の切り欠き６を形成することにより構成される。
【００２２】
以上のような容器１Ａにおいて、容器本体２は、種々のプラスチック等から成形することができ、アイスクリームやミルクなど、半流動体又は流動体の食品等を内部に収容することができる。容器本体２にはプラスチック等から作製された蓋部材３が、例えば熱融着により貼り付けられている。或いは、接着剤により蓋部材３を容器本体２に貼り付けてもよい。
【００２３】
容器本体２の底部４に形成された抽出口５Ａは、切り欠き６を形成することにより作製することができ、図では８本の切り欠き６が形成されているが、少なくとも１本形成されていればよく、本数を特に限定するものではない。また、切り欠き６の断面形状は、図２では逆三角形となるように形成されているが、四角形や丸形状等他の形状であってもよい。
【００２４】
また、切り欠き６は底部４の内側に形成されているが、図３に示すように、底部４の外側に形成されていてもよい。さらに、図４に示すように、切り欠き６を底部４の両側に形成することも勿論可能である。切り欠き６の深さは、容器１Ａの運搬や押し出し機への装填時に不用意に開口しない程度に深く設けてもよく、逆に非常に浅い切り欠き６としてもよい。切り欠き６は、慣用の手段により形成することができる。
【００２５】
以上のように構成された容器１Ａでは、容器１Ａを押し出し機（図示しない）に装填し、蓋部材３の上方から加圧する。すると、蓋部材３に加わる圧力は内容物１ａを介して抽出口５Ａに印加され、相対的に強度が低い切り欠き６部分が破断して抽出口５Ａが開口する。これにより、容器１Ａ内の内容物１ａは容器１Ａ外に抽出される。内容物１ａが液状である場合、従来の容器では抽出後に容器１Ａから垂れる場合があるが、本発明による抽出口５Ａによれば、先端部５ａが元の位置に復元するので、内容物１ａの垂れを防止することができる。これにより、内容物１ａが食品の場合には、雑菌の繁殖や汚損等を防止できる。なお、この場合には、復元性を確保できる弾力性を備えた樹脂を使用することが望ましい。
【００２６】
実施形態２
図５は、本発明の実施形態２による流動体等を収容する容器の抽出口５Ｂを概略的に示しており、図１（ｂ）のＡ−Ａ線に沿った断面図である。この抽出口５Ｂは、実施形態１と同様に図１に示す容器に形成されるので、図１を実施形態２にも援用する。これらの図１及び図５において、流動体等を収容する容器１Ｂは、容器本体２と、この容器本体２の頂部に貼り付けられる蓋部材３とを備えている。容器本体２の底部４には、抽出口５Ｂが設けられており、容器１内に収容された流動体又は半流動体等の内容物１ａは、容器１Ｂを外部から加圧することにより開口して抽出される。
【００２７】
抽出口５Ｂは、容器本体２の底部４に形成されたスリット７と、このスリット７を封止する封止部材８例えば接着剤とから構成されている。スリット７は、図１（ｂ）に示すように８本形成されているが、スリット７の本数や形状は特に限定するものではなく、少なくとも１本のスリット７が形成されていればよい。また、スリット７の大きさは、内容物１ａの粘性等との関係で種々の大きさが選択できる。封止部材８として液状の接着剤を使用すると、数滴スリット７に滴下することにより、接着剤の毛細管現象により容易にスリット７間に充填される。
【００２８】
以上のように構成された容器１Ｂでは、実施形態１と同様に、容器１Ｂを押し出し機（図示しない）に装填し、蓋部材３の上方から加圧する。すると、蓋部材３に加わる圧力は内容物１ａを介して抽出口５Ｂに印加され、相対的に強度が低い封止部材８が押し出されて抽出口５Ｂが開口する。これにより、容器１Ｂ内の内容物１ａは容器１Ｂ外に抽出される。
【００２９】
実施形態３
図６（ａ）は、本発明の実施形態３による流動体等を収容する容器の概略側面図であり、図６（ｂ）はその裏面図である。これらの図において、流動体等を収容する容器１Ｃは、容器本体２と、この容器本体２の頂部に貼り付けられる蓋部材３とを備えている。また、容器本体２の内面には、内側容器２ａが配置されている。この内側容器２ａは、フィルム材等から形成するのが望ましく、例えばポリエチレンフィルムが使用可能である。容器本体２の底部４には、抽出口５Ｃが設けられており、容器１Ｃ内に収容された流動体又は半流動体等の内容物１ａは、容器１Ｃを外部から加圧することにより開口して抽出される。
【００３０】
図７は、図６（ｂ）のＢ−Ｂ線に沿った概略断面図であり、容器本体２の底部４に設けられた抽出口５Ｃを示している。図１及び７に示すように、容器本体２の底部４には開口部４ａが形成されており、この開口部４ａに隣接して、内側容器２ａには抽出口５Ｃが形成されている。この抽出口５Ｃは、内側容器２ａに８本の切り欠き６を形成することにより構成される。図７では、切り欠き６が内側容器２ａの両側に形成された場合を示しているが、上述した実施形態１で示したように、切り欠き６を内側容器２ａの一方に設けてもよい。また、実施形態２で示したように、抽出口５Ｃをスリット７及び封止部材８により構成してもよい。
【００３１】
実施形態４
図８は、本発明の実施形態４によるシール部材を示す概略平面図である。図において、シール部材１０は、プラスチック等から作製されたフィルム状の部材であり、加圧により開口する抽出口５Ｄが形成されており、抽出口５Ｄには８本の切り欠き６を有する。この切り欠き６は、実施形態１において示したように、シール部材１０の一方の面又は両面に設けられていてもよい。また、実施形態２において示したように、スリット７及び封止部材８により構成してもよい。シール部材１０の外周には、容器に接着するための接着部１１が形成されている。
【００３２】
以上のように構成されたシール部材１０は、図９に示すように、流動体等を収容する容器１Ｄの開口部４ａが形成された底部４に貼り付けられる。また、図１０に示すように、図６に示した二重容器１Ｃの底部４に貼り付けてもよい。この場合には、容器本体２と内側容器２ａとに開口部４ａ，４ｂを形成しておく。
【００３３】
この実施形態では、シール部材１０を容器１Ｄ、１Ｅに貼り付けるため、既存の容器を利用でき、容器に抽出口５を形成する工数を減少できる利点がある。
【００３４】
実施形態５
図１１は、本発明の実施形態５による流動体等を収容する容器の概略斜視図である。図において、流動体等を収容する円筒状の容器１Ｆの側部に、シール部材１０が貼り付けられている。図１２は、流動体等を収容する円錐状の容器１Ｇの頂部にシール部材１０が貼り付けられた場合を示している。これらの図に示すように、収容する内容物の種類に応じて、種々の形状の容器が使用でき、これらの容器に対してシール部材１０を貼り付けることができる。また、容器に対する加圧は、特に限定することなく、上部、下部及び側部のどちらの方向から加圧を行ってもよい。また、容器１Ｆ、１Ｇにシール部材１０を貼り付ける代わりに、容器自体に抽出口５を設けることも可能である。これらのシール部材１０や抽出口５は、上述した実施形態のように、種々の変形が可能である。
【００３５】
【発明の効果】
以上説明したように、請求項１の発明によれば、容器がこの容器を加圧することにより開口し流動体又は半流動体を抽出する抽出口を有するので、容器を単に加圧するだけで、容易に内容物を抽出することができる。また、切り欠きにより抽出口を形成しているので、内容物の漏洩が防止できるという効果を奏する。
【００３６】
請求項２の発明によれば、二重容器に開口部と抽出口とを設けているので、容器を単に加圧するだけで、容易に内容物を抽出することができる。また、切り欠きにより抽出口を形成しているので、内容物の漏洩が防止できるという効果を奏する。
【００３７】
請求項３の発明によれば、容器を加圧することにより開口し流動体又は半流動体を抽出する抽出口が形成されたシール部材を容器が備えているので、既存の容器を利用して、容器を単に加圧するだけで、容易に内容物を抽出することができるという効果を奏する。
【００３８】
請求項４及び７の発明によれば、抽出口が少なくとも１つの切り欠きであるので、抽出口の作製が容易であり、内容物を確実に収容することができるという効果を奏する。
【００３９】
請求項５及び８の発明によれば、抽出口が少なくとも１つのスリットと、このスリットを封止する封止部材とを備えるので、流動体等を収容する容器が既存の容器から容易に作成できるという効果を奏する。
【００４０】
請求項６の発明によれば、加圧により開口する抽出口が形成されているシール部材が内部に流動体又は半流動体を収容する容器に設けられるので、流動体等を収容する容器が既存の容器から容易に作成できるという効果を奏する。
【図面の簡単な説明】
【図１】図１（ａ）は、本発明の実施形態１による流動体等を収容する容器の概略側面図であり、図１（ｂ）はその裏面図である。
【図２】図１（ｂ）のＡ−Ａ線に沿った概略断面図である。
【図３】他の変形例による図１（ｂ）のＡ−Ａ線に沿った概略断面図である。
【図４】他の変形例による図１（ｂ）のＡ−Ａ線に沿った概略断面図である。
【図５】本発明の実施形態２による流動体等を収容する容器の抽出口を示す概略図である。
【図６】図６（ａ）は、本発明の実施形態３による流動体等を収容する容器の概略側面図であり、図６（ｂ）はその裏面図である。
【図７】図６（ｂ）のＢ−Ｂ線に沿った概略断面図である。
【図８】本発明の実施形態４によるシール部材を示す概略平面図である。
【図９】図８のシール部材を容器の底部に貼り付けた状態を示す概略断面図である。
【図１０】図８のシール部材を容器の底部に貼り付けた状態を示す概略断面図である。
【図１１】本発明の実施形態５による流動体等を収容する容器の概略斜視図である。
【図１２】本発明の実施形態５による流動体等を収容する容器の概略斜視図である。
【符号の説明】
１Ａ，１Ｂ，１Ｃ，１Ｄ，１Ｅ，１Ｆ，１Ｇ…容器、１ａ…内容物、２…容器本体、２ａ…内側容器、３…蓋部材、４…底部、４ａ，４ｂ…開口部、５Ａ，５Ｂ，５Ｃ，５Ｄ…抽出口、５ａ…先端部、６…切り欠き、７…スリット、８…封止部材、１０…シール部材、１１…接着部。
【図１】
2004001841.tif 000003
【図２】
2004001841.tif 000004
【図３】
2004001841.tif 000005
【図４】
2004001841.tif 000006
【図５】
2004001841.tif 000007
【図６】
2004001841.tif 000008
【図７】
2004001841.tif 000009
【図８】
2004001841.tif 000010
【図９】
2004001841.tif 000011
【図１０】
2004001841.tif 000012
【図１１】
2004001841.tif 000013
【図１２】
2004001841.tif 000014